(57)【要約】【解決手段】マルチメディアメッセージ保存アドレス送信システムは、マルチメディアメッセージを受信かつ保存し、マルチメディアメッセージを保存したＵＲＬアドレスを転送する受信保存転送装置と、前記受信保存転送装置から転送してきたＵＲＬアドレスを受信し、前記ＵＲＬアドレスを端末へ通知する第１マルチメディアメッセージサービスセンターと、を含む。本発明によれば、第１マルチメディアメッセージサービスセンターはマルチメディアメッセージの内容を保存する必要がなく、受信保存転送装置がマルチメディアメッセージを保存したＵＲＬアドレスを、端末にそのまま送信するだけでよい。従って第一マルチメディアメッセージサービスセンターの負担を大幅に軽減する。
2011517796.tif 000002
【特許請求の範囲】
【請求項１】
マルチメディアメッセージを受信かつ保存し、前記マルチメディアメッセージを保存したＵＲＬアドレスを転送する受信保存転送装置と、
前記受信保存転送装置から転送してきたＵＲＬアドレスを受信し、かつ、前記ＵＲＬアドレスを端末へ通知する第１マルチメディアメッセージサービスセンターと
を含むマルチメディアメッセージ保存アドレス送信システム。
【請求項２】
前記受信保存転送装置は、
マルチメディアメッセージを受信する受信手段と、
受信手段が受信したマルチメディアメッセージを保存する保存手段と、
前記保存手段がマルチメディアメッセージを保存したＵＲＬアドレスを転送する転送手段と
を含む請求項１に記載のマルチメディアメッセージ保存アドレス送信システム。
【請求項３】
前記保存手段は、前記受信手段が受信したマルチメディアメッセージを前記受信保存転送装置内部または前記受信保存転送装置外部の保存媒体に保存する
請求項２に記載のマルチメディアメッセージ保存アドレス送信システム。
【請求項４】
前記保存手段は、
前記受信手段が受信したマルチメディアメッセージが前記保存媒体中に既に保存されているか否かを判断する判断モジュールと、
前記判断モジュールの判断結果が「否」である場合に、前記マルチメディアメッセージを前記保存媒体中に保存する保存モジュールと、
前記保存モジュールがマルチメディアメッセージを保存したＵＲＬアドレスに対応する索引情報を生成する索引生成モジュールと
を含む請求項３に記載のマルチメディアメッセージ保存アドレス送信システム。
【請求項５】
前記受信保存転送装置は、
マルチメディアメッセージサービスゲートウェイまたは第２マルチメディアメッセージサービスセンターである
請求項１から請求項４のいずれか１つに記載のマルチメディアメッセージ保存アドレス送信システム。
【請求項６】
受信保存転送装置はマルチメディアメッセージを受信かつ保存し、
マルチメディアメッセージを保存したＵＲＬアドレスを第１マルチメディアメッセージサービスセンターに転送し、
前記第１マルチメディアメッセージサービスセンターは、前記受信保存転送装置から転送してきたＵＲＬアドレスを端末に通知する
マルチメディアメッセージ保存アドレス送信方法。
【請求項７】
前記受信保存転送装置は、受信したマルチメディアメッセージを自身の保存媒体中、または、外部の保存媒体中に保存する
請求項６に記載のマルチメディアメッセージ保存アドレス送信方法。
【請求項８】
前記受信保存転送装置が受信したマルチメディアメッセージを保存する場合、
受信したマルチメディアメッセージが既に前記保存媒体中に保存されているか否かを判断し、
既に保存されている場合、前記マルチメディアメッセージを保存したＵＲＬアドレスに対応する索引情報を生成し、
未だ保存されていない場合、前記マルチメディアメッセージを前記保存媒体中に保存し、かつ、前記マルチメディアメッセージを保存したＵＲＬアドレスに対応する索引情報を生成する
請求項７に記載のマルチメディアメッセージ保存アドレス送信方法。
【請求項９】
前記受信保存転送装置は、
マルチメディアメッセージサービスゲートウェイまたは第２マルチメディアメッセージサービスセンターである
請求項６から請求項８のいずれか１つに記載のマルチメディアメッセージ保存アドレス送信方法。
【請求項１０】
マルチメディアメッセージを受信する受信手段と、
前記受信手段が受信したマルチメディアメッセージを保存する保存手段と、
前記保存手段がマルチメディアメッセージを保存したＵＲＬアドレスを転送する転送手段と
を含むマルチメディアメッセージサービスゲートウェイ。
【請求項１１】
前記保存手段は、前記受信手段が受信したマルチメディアメッセージを前記マルチメディアメッセージサービスゲートウェイの内部または前記マルチメディアメッセージサービスゲートウェイの外部の保存媒体に保存する
請求項１０に記載のマルチメディアメッセージサービスゲートウェイ。
【請求項１２】
前記保存手段は、
前記受信手段が受信したマルチメディアメッセージが既に前記保存媒体中に保存されているか否かを判断する判断モジュールと、
前記判断モジュールの判断結果が「否」である場合、前記マルチメディアメッセージを前記保存媒体中に保存する保存モジュールと、
前記保存モジュールがマルチメディアメッセージを保存したＵＲＬアドレスに対応する索引情報を生成する索引生成モジュールと
を含む請求項１１に記載のマルチメディアメッセージサービスゲートウェイ。
【請求項１３】
マルチメディアメッセージを受信する受信手段と、
前記受信手段が受信したマルチメディアメッセージが既に保存媒体中に保存されているか否かを判断する判断手段と、
前記判断手段の判断結果が「否」である場合、前記マルチメディアメッセージを前記保存媒体中に保存する保存手段と、
前記保存手段がマルチメディアメッセージを保存したＵＲＬアドレスに対応する索引情報を生成する索引生成モジュールと、
前記保存手段がマルチメディアメッセージを保存したＵＲＬアドレスを転送する転送手段と
を含むマルチメディアメッセージサービスセンター。
【請求項１４】
前記保存媒体は、
前記マルチメディアメッセージサービスセンターの内部、または、前記マルチメディアメッセージサービスセンターの外部にある
請求項１３に記載のマルチメディアメッセージサービスセンター。
【発明の詳細な説明】
【技術分野】
【０００１】
本発明は移動通信技術分野に関し、特にマルチメディアメッセージ保存アドレス送信システム及び方法に関する。
【背景技術】
【０００２】
移動通信技術の発展に伴い、移動通信ネットワークにおいては、既に各種新サービスが展開されている。その内、マルチメディアメッセージサービス（ＭＭＳ，Multimedia Message Service）は、保存転送メカニズムの非リアルタイム性に基づいた、マルチメディア通信方式を提供している。ＭＭＳを通じてユーザは、テキストデータ、画像データ、音楽データ、電子メール及び画像データ等を含む各種情報を送受信することができる。マルチメディアメッセージサービスセンター（ＭＭＳＣ，Multimedia Message Service Centre）は相違する方式のメッセージ保存転送を実現することができ、これには、移動端末と移動端末間、移動端末とインターネット間の情報インタラクションを含む。ユーザはデジタルカメラまたはBluetooth（登録商標）技術等を通じてマルチメディアメッセージを生成、編集することができ、かつ、ＭＭＳＣを通じて、他の移動端末ユーザへ送信することができる。
【０００３】
従来のＭＭＳネットワークシステムを実現する構造は図１に示すとおりである。該システムはＭＭＳ端末、マルチメディアメッセージサービスセンター（ＭＭＳＣ）、マルチメディアメッセージサービスゲートウェイ（ＭＭＳＧ）、ＭＭＳユーザデータベース、外部アプリケーションサーバ、ＭＭＳインクリメントアプリケーションシステム及び非ＭＭＳ端末サポートアプリケーションシステムなどのネットワーク要素を含む。なお、マルチメディアメッセージプラットフォームが提供するマルチメディアメッセージサービスをサポートするためにＷＡＰゲートウェイ、ＧＳＭ／ＧＰＲＳネットワーク資源等の設備のサポートを必要とし、さらに、現ネットワーク中の料金会計システムとの融合を必要とする。
【先行技術文献】
【特許文献】
【０００４】
【特許文献１】中華人民共和国特許公開第１６９７５３１号明細書
【０００５】
現在、商用ＭＭＳサービスの端末相互間（end to end）解決案のサービスプロセスにおいては、ＧＰＲＳシステム、ＷＡＰゲートウェイ、ＭＭＳＣショートメッセージサービスセンター（Short Message Service Center，以下ＳＭＳＣと称する）、ＩＰ基幹ネットワーク及び各種サービスプロバイダ（ＳＰ，Service Provider）プラットホーム等多種のネットワーク要素を含み、サービスプロセス全体が複雑であり、関わるプロトコルの種類が非常に多い。ＭＭＳの主なサービスセグメンテーションプロセスは、移動局の開始（Mobile Originated，以下、ＭＯと称する）、移動局の終止（Mobile Terminated，以下  ＭＴと称する）、アプリケーションの開始（Application Oriented，以下、ＡＯと称する）、アプリケーションの終止（Application Terminated，以下ＡＴという）、Emailシステムの開始（Email Originated，以下、ＥＯという）、Emailシステムの終止（Email Terminated，以下、ＥＴという）、転入、転出、ＰＵＳＨ通知メッセージ等のプロセスを含む。
【０００６】
マルチメディアメッセージサービス環境（Multimedia Message Service Environment，以下、ＭＭＳＥと称する。）において定義される関連インターフェースプロトコルは８種類（ＭＭ１−ＭＭ８）があり、その中で、ＭＭＳに直接関連するインターフェースプロトコルはＭＭ１、ＭＭ３、ＭＭ４、ＭＭ７である。ＭＭ１はＭＭＳユーザ代理及びＭＭＳＣ間のトランザクション処理フォーマットを定義している。ＭＭ３はマルチメディアメッセージサービスセンター及び外部アプリケーションサーバの情報インタラクション時におけるプロトコルを定義している。ＭＭ４インターフェースプロトコルは相違するマルチメディアメッセージシステムのマルチメディアメッセージサービスセンター間のメッセージ転送に用いられる。ＭＭ７は、マルチメディアメッセージサービスセンターとＭＭＳインクリメントサービスプロバイダ（ＭＭＳ  ＶＡＳ  applications）との間でマルチメディアメッセージ（ＭＭ，Multimedia Message）が転送される際のメッセージフォーマットを定義するのに用いられる。
【０００７】
ＳＰのマルチメディアメッセージ送信時に同様の内容を注文閲覧するユーザが非常に多い状況、及びユーザがマルチメディアメッセージをグループ送信する際に同様の内容を多数のユーザに送信する必要がある状況に適応すべく、マルチメディアメッセージ国際標準を基に、マルチメディアメッセージサービスゲートウェイ（ＭＭＳＧ）をさらに拡大提案かつ建設し、ＳＰのサービス及びユーザグループ送信のメッセージを配信するのに用い、ＳＰまたはユーザと、マルチメディアメッセージサービスゲートウェイと、の間のグループ送信、及びマルチメディアメッセージサービスゲートウェイとマルチメディアメッセージサービスセンターとの間のグループ送信を実現し、マルチメディアメッセージの送信效率を高めた。
【０００８】
従来のＳＰがマルチメディアメッセージを送信する際のフローチャートは図２に示すとおりである。具体的なステップは以下のとおりである。
【０００９】
ステップ２１０において、ＳＰがＭＭをマルチメディアメッセージサービスゲートウェイまたは類似のシステムへ提供する。
【００１０】
ステップ２２０において、マルチメディアメッセージサービスゲートウェイまたは類似のシステムがマルチメディアメッセージサービスセンターへ該ＭＭを転送する。
【００１１】
ステップ２３０において、マルチメディアメッセージサービスセンターは該ＭＭを保存し、ＰＵＳＨ通知メッセージを端末へ送信し、ＵＲＬアドレス、すなわちＭＭが該マルチメディアメッセージサービスセンターにおける保存アドレスを端末に通知する。
【００１２】
ステップ２４０において、端末は、マルチメディアメッセージサービスセンターが送信したＵＲＬアドレスに基づき、該マルチメディアメッセージサービスセンターから該ＭＭを抽出する。
【００１３】
ステップ２５０において、端末はＭＭの抽出に成功した後、確認メッセージをマルチメディアメッセージサービスセンターにリターンする。
【００１４】
ステップ２６０において、マルチメディアメッセージサービスセンターは通信料金を生成し、マルチメディアメッセージサービスゲートウェイまたは類似システムに配信レポートを送信し、かつ保存していたＭＭを削除する。
【００１５】
ステップ２７０において、マルチメディアメッセージサービスゲートウェイまたは類似システムは配信レポートを受信した後に、対応する通信料金を生成する。
【００１６】
ユーザがマルチメディアメッセージをグループ送信する際のフローチャートは、図２に示したＳＰがマルチメディアメッセージを送信する際のフローチャートと類似するため、ここでは、詳細な説明を省略する。
【発明の概要】
【発明が解決しようとする課題】
【００１７】
上記のように、たとえＳＰがマルチメディアメッセージを送信するプロセスであろうと、ユーザがマルチメディアメッセージをグループ送信するプロセスであろうと、マルチメディアメッセージはいずれもマルチメディアメッセージサービスゲートウェイまたは類似のシステムからマルチメディアメッセージサービスセンターへ転送かつ保存される必要があり、それから端末へ送信される。なお、マルチメディアメッセージは通常、サイズが比較的大きい（平均約３０Ｋ）ため、マルチメディアメッセージサービスセンター対し比較的大きな負荷を生じる。前記類似システムは例えば他のマルチメディアメッセージサービスセンターである。
【００１８】
本発明は、かかる点に鑑みてなされたものであり、マルチメディアメッセージサービスセンターの負荷を低減することができるマルチメディアメッセージ保存アドレス送信システムを提供することを目的とする。
【００１９】
これに対応して、本発明はマルチメディアメッセージ保存アドレス送信方法、マルチメディアメッセージサービスゲートウェイ、及びマルチメディアメッセージサービスセンターをさらに提供する。
【課題を解決するための手段】
【００２０】
本発明の実施例に係るマルチメディアメッセージ保存アドレス送信システは、マルチメディアメッセージを受信かつ保存し、前記マルチメディアメッセージを保存したＵＲＬアドレスを転送する受信保存転送装置と、前記受信保存転送装置から転送してきたＵＲＬアドレスを受信し、かつ、前記ＵＲＬアドレスを端末へ通知する第１マルチメディアメッセージサービスセンターとを含む構成をとる。
【００２１】
本発明の実施例に係るマルチメディアメッセージ保存アドレス送信方法は、受信保存転送装置がマルチメディアメッセージを受信かつ保存し、マルチメディアメッセージを保存したＵＲＬアドレスを第１マルチメディアメッセージサービスセンターに転送し、前記第１マルチメディアメッセージサービスセンターは、前記受信保存転送装置から転送してきたＵＲＬアドレスを端末に通知するようにした。
【００２２】
本発明の実施例に係るマルチメディアメッセージサービスゲートウェイは、マルチメディアメッセージを受信する受信手段と、前記受信手段が受信したマルチメディアメッセージを保存する保存手段と、前記保存手段がマルチメディアメッセージを保存したＵＲＬアドレスを転送する転送手段とを含む構成をとる
【００２３】
本発明の実施例に係るマルチメディアメッセージサービスセンターは、マルチメディアメッセージを受信する受信手段と、前記受信手段が受信したマルチメディアメッセージが既に保存媒体中に保存されているか否かを判断する判断手段と、前記判断手段の判断結果が「否」である場合、前記マルチメディアメッセージを前記保存媒体中に保存する保存手段と、前記保存手段がマルチメディアメッセージを保存したＵＲＬアドレスに対応する索引情報を生成する索引生成モジュールと、前記保存手段がマルチメディアメッセージを保存したＵＲＬアドレスを転送する転送手段とを含む構成をとる。
【発明の効果】
【００２４】
本発明の実施例に係る受信保存転送装置は、受信したマルチメディアメッセージを保存し、マルチメディアメッセージを保存したＵＲＬアドレスを第１マルチメディアメッセージサービスセンターへ転送し、第１マルチメディアメッセージサービスセンターはまた該ＵＲＬアドレスを端末に通知する。このように、第１マルチメディアメッセージサービスセンターはマルチメディアメッセージの内容を保存する必要がなく、受信保存転送装置がマルチメディアメッセージを保存したＵＲＬアドレスを端末へそのまま送信さえすればよく、これにより第１マルチメディアメッセージサービスセンターの負荷を大幅に軽減することができる。
【図面の簡単な説明】
【００２５】
【図１】従来技術に係るＭＭＳを実現するネットワークシステムを示す構成図である。
【図２】従来技術に係るＳＰがマルチメディアメッセージを送信するフローチャートである。
【図３Ａ】本発明の実施例に係るマルチメディアメッセージ保存アドレス送信システムを示す構成図である。
【図３Ｂ】本発明の実施例に係るマルチメディアメッセージサービスゲートウェイを示す構成図である。
【図３Ｃ】本発明の実施例に係るマルチメディアメッセージサービスゲートウェイにおける保存手段を示す構成図である。
【図４】本発明の実施例に係るマルチメディアメッセージ保存アドレス送信方法を示すフローチャートである。
【図５】本発明の実施例に係るマルチメディアメッセージ送信方法を示すフローチャートである。
【発明を実施するための形態】
【００２６】
従来技術に存在する問題に対し、本発明の実施例は、受信保存転送装置が、受信したマルチメディアメッセージを自身の保存媒体または外部の保存媒体に保存し、さらにマルチメディアメッセージを保存したＵＲＬアドレスを、第１マルチメディアメッセージサービスセンターを通じて端末に送信し、その後、端末は該ＵＲＬアドレスに基づき保存媒体中からマルチメディアメッセージを抽出する方法を提示する。
【００２７】
以下、明細書及び図面を参照し本発明実施例の具体的な実施の形態を詳細に説明する。本発明の下記の実施例において、受信保存転送装置はいずれもマルチメディアメッセージサービスゲートウェイを例として説明している。当然、下記の実施例におけるマルチメディアメッセージサービスゲートウェイが実現する機能は、マルチメディアメッセージサービスセンターによって実現することもできる。本発明の下記の実施例においては、マルチメディアメッセージサービスゲートウェイが受信したマルチメディアメッセージはいずれもＳＰにより提供されるものである場合を例にして説明を行うものの、当然、下記の実施例においてマルチメディアメッセージサービスゲートウェイが受信したマルチメディアメッセージはユーザにより提供されるものであっても良い。
【００２８】
本発明の実施例はマルチメディアメッセージ保存アドレス送信システムを提供し、その構造は図３Ａに示すとおりであり、マルチメディアメッセージサービスゲートウェイ３１０及びマルチメディアメッセージサービスセンター３２０を含む。
【００２９】
マルチメディアメッセージサービスゲートウェイ３１０は、サービスプロバイダＳＰが提供したマルチメディアメッセージを受信かつ保存し、マルチメディアメッセージを保存したＵＲＬアドレスを転送する。
【００３０】
マルチメディアメッセージサービスセンター３２０は、マルチメディアメッセージサービスゲートウェイ３１０が転送したＵＲＬアドレスを受信し、かつ該ＵＲＬアドレスを端末に通知する。
【００３１】
マルチメディアメッセージを受信する場合、端末はマルチメディアメッセージサービスセンター３２０が通知したＵＲＬアドレスを受信し、該ＵＲＬアドレスに基づきマルチメディアメッセージを抽出しにいくことができる。
【００３２】
その中、マルチメディアメッセージサービスゲートウェイ３１０の構造は図３Ｂに示すように、受信部３１１、保存部３１２及び転送部３１３を含む。
【００３３】
受信部３１１は、ＳＰが提供したマルチメディアメッセージを受信する。
【００３４】
保存部３１２は、受信部３１１が受信したマルチメディアメッセージを保存する。
【００３５】
転送部３１３は、保存部３１２がマルチメディアメッセージを保存したＵＲＬアドレスを転送する。
【００３６】
保存部３１２は、受信部３１１が受信したマルチメディアメッセージをマルチメディアメッセージサービスゲートウェイ３１０内部の保存媒体中に保存することもでき、マルチメディアメッセージサービスゲートウェイ３１０外部の保存媒体中に保存することもでき、マルチメディアメッセージをマルチメディアメッセージサービスセンター３２０に転送かつ保存しないため、マルチメディアメッセージサービスセンターの負荷を低減する。
【００３７】
なお、従来技術においては、多数のユーザが同一内容のマルチメディアメッセージを注文閲覧する状況に対し、マルチメディアメッセージサービスゲートウェイは多くの同一内容のマルチメディアメッセージをマルチメディアメッセージサービスセンターに転送する必要があり、マルチメディアメッセージサービスセンターもまたこれに対応して多くの同一内容のマルチメディアメッセージを保存する必要があるため、これはＭＭＳＣにより大きな負荷を与えることになる。本発明の方法によれば、ＭＭＳＧの保存空間はＭＭＳＣの保存空間よりも大きいため、ＭＭＳＧにより多くの同一内容のＭＭを自身の内部の保存媒体中に保存することが可能である。当然、ＭＭＳＧは多くの同一内容のＭＭを自身外部の保存媒体中に保存することも可能である。なお、ＭＭを受信保存転送するのに用いる装置はＭＭＳＧに限るものではなく、その他類似システムであっても良い。例えばもう１つののＭＭＳＣ（ＭＭＳＣ２と記す）であっても良い。ＭＭＳＣ２によりＭＭを受信かつ保存し、ＭＭを保存したＵＲＬアドレスをＭＭＳＣ１へ転送し、ＭＭＳＣ１はさらに、ＭＭＳＣ２から転送して来たＵＲＬアドレスを端末に通知する。ＭＭＳＣ２の保存空間は比較的に小さいため、好ましくは、ＭＭＳＣ２は多くの同一内容のＭＭを自身の外部の保存媒体中に保存する。さらにより好ましくは、保存媒体の空間を節約しつつ、ＭＭＳＣ２が受信した多くの同一内容中の１つのＭＭを自身の内部の保存媒体中に保存することを可能とすべく、本発明の実施例は下記のような保存部３１２の構造を提示する。
【００３８】
保存部３１２の構造は図３Ｃに示すように、判断モジュール３１２１、保存モジュール３１２２及び索引生成モジュール３１２３を含む。
【００３９】
判断モジュール３１２１は、受信部３１１が受信したマルチメディアメッセージが既に保存媒体中に保存されているか否かを判断する。
【００４０】
保存モジュール３１２２は、判断モジュール３１２１の判断結果が「否」である場合に、該マルチメディアメッセージを保存媒体中に保存する。
【００４１】
索引生成モジュール３１２３は、保存モジュール３１２２がマルチメディアメッセージを保存したＵＲＬアドレスに対応する索引情報を生成する。
【００４２】
このように、同一内容のマルチメディアメッセージに対し、保存部３１２は保存媒体中に該マルチメディアメッセージを１つ保存することができ、かつ閲覧注文ユーザ数に相当する、該マルチメディアメッセージを保存したＵＲＬアドレスに対応する索引情報を生成することができる。端末ユーザはＭＭＳＣが通知したＵＲＬアドレスを受信した後、該ＵＲＬアドレスに対応する索引情報により、保存媒体の中から該マルチメディアメッセージを抽出する。抽出に成功した後、該索引情報を削除してもよく、該索引情報に対しマーキングを行い、該端末ユーザが既に該マルチメディアメッセージを抽出したことを表記しても良い。全ての情報が削除またはマーキングされた場合、該マルチメディアメッセージを注文閲覧する全ての端末ユーザが、該マルチメディアメッセージを既に抽出したということを示し、全てのマーキングされた索引情報及び該マルチメディアメッセージを削除することができる。
【００４３】
これに対応して、本発明の実施例はさらにマルチメディアメッセージ保存アドレス送信方法を提供する。そのフローチャートは図４に示すとおりであり、具体的なステップは以下のとおりである。
【００４４】
ステップ４１０において、マルチメディアメッセージサービスゲートウェイはＳＰが提供したマルチメディアメッセージを受信する。
【００４５】
ステップ４２０において、ＭＭＳＧは受信したマルチメディアメッセージを保存する。
【００４６】
このステップにおいて、ＭＭＳＧは該マルチメディアメッセージを、内部または外部の保存媒体中に保存することができる。
【００４７】
ステップ４３０において、ＭＭＳＧは該マルチメディアメッセージを保存したＵＲＬアドレスをＭＭＳＣへ転送する。
【００４８】
ステップ４４０において、ＭＭＳＣはＭＭＳＧから転送してきたＵＲＬアドレスを端末に通知する。
【００４９】
ここで、ステップ４２０においてマルチメディアメッセージを保存する過程は以下のステップを含む。
【００５０】
ステップ４２１において、該マルチメディアメッセージが既に保存媒体中に保存されているか否かを判断する。
【００５１】
ステップ４２２において、既に保存されている場合には、該マルチメディアメッセージを保存したＵＲＬアドレスに対応する索引情報を生成し、未だ保存されていない場合には、該マルチメディアメッセージを保存媒体中に保存し、該マルチメディアメッセージを保存したＵＲＬアドレスに対応する索引情報を生成する。
【００５２】
上述したマルチメディアメッセージ保存アドレス送信システム及び方法に基づき、本発明の実施例はマルチメディアメッセージ送信方法を提供する。そのフローチャートは図５に示すとおりであり、具体的には以下のステップを含む。
【００５３】
ステップ５１０において、マルチメディアメッセージサービスゲートウェイはＳＰが提供したマルチメディアメッセージを受信する。
【００５４】
ステップ５２０において、ＭＭＳＧは受信したマルチメディアメッセージを保存する。
【００５５】
このステップにおいて、ＭＭＳＧは該マルチメディアメッセージを、内部または外部の保存媒体中に保存してもよく、同一内容のマルチメディアメッセージに対しては、該マルチメディアメッセージの内容を１つのみ保存し、同時に閲覧注文ユーザ数に相当する、該マルチメディアメッセージを保存したＵＲＬアドレスに対応する索引情報を生成してもよい。具体的な過程は、ステップ４２１及びステップ４２２と同様であり、ここでは詳細な説明を省略する。
【００５６】
ステップ５３０において、ＭＭＳＧは該マルチメディアメッセージを保存したＵＲＬアドレスをＭＭＳＣへ転送する。
【００５７】
ステップ５４０において、ＭＭＳＣは、ＭＭＳＧから転送してきたＵＲＬアドレスを端末へ通知する。
【００５８】
ステップ５５０において、端末はＭＭＳＣが通知したＵＲＬアドレスに基づき、マルチメディアメッセージを抽出する。
【００５９】
このステップにおいて、端末ユーザはＭＭＳＣが通知したＵＲＬアドレスを受信し、該ＵＲＬアドレスに対応する索引情報に基づき、保存媒体中から該マルチメディアメッセージを抽出する。抽出に成功した後、該条索引情報を削除しても良く、該索引情報に対しマーキングを行い、該端末ユーザが既に該マルチメディアメッセージを抽出したことを表記しても良い。全ての索引情報が削除またはマーキングされた場合、該マルチメディアメッセージを注文閲覧するすべての端末ユーザが既に該マルチメディアメッセージを抽出したことを示す。
【００６０】
ステップ５６０において、端末がマルチメディアメッセージの抽出に成功した後、確認メッセージをＭＭＳＣへリターンする。
【００６１】
ステップ５７０において、ＭＭＳＣは端末が送信してきた確認メッセージを受信した後、通信料金を生成し、かつＭＭＳＧまたは類似システム、及び内部または外部の保存媒体へ配信レポートを送信する。
【００６２】
ステップ５８０において、マルチメディアメッセージゲートウェイまたは類似システムは配信レポートを受信した後、課金通信料金を生成し、保存媒体が配信レポートを受け取った後、全てのマーキングされた索引情報及び該マルチメディアメッセージを削除することができる。
【００６３】
これに対応して、本発明の実施例はさらにマルチメディアメッセージサービスゲートウェイを提供する。その構造は図３Ｂに示すとおりであり、受信部３１１、保存部３１２及び転送部３１３を含む。
【００６４】
受信部３１１は、ＳＰが提供したマルチメディアメッセージを受信する。
【００６５】
保存部３１２は、受信部３１１が受信したマルチメディアメッセージを保存する。
【００６６】
転送部３１３は、保存部３１２がマルチメディアメッセージを保存したＵＲＬアドレスを転送する。
【００６７】
その中、保存部３１２は受信部３１１が受信したマルチメディアメッセージを、マルチメディアメッセージサービスゲートウェイ内部または外部の保存媒体中に保存することができる。図３Ｃに示すとおり、保存部３１２は以下の３つのモジュールを含む。
【００６８】
判断モジュール３１２１は、前記受信部３１１が受信したマルチメディアメッセージが既に保存媒体中に保存されているか否かを判断する。
【００６９】
保存モジュール３１２２は、判断モジュール３１２１の判断結果が「否」である場合に、前記マルチメディアメッセージを保存媒体中に保存する。
【００７０】
索引生成モジュール３１２３は、前記保存モジュール３１２２がマルチメディアメッセージを保存したＵＲＬアドレスに対応する索引情報を生成する。
【００７１】
保存部３１２がマルチメディアメッセージを保存する方法は上述した方法と同様であり、ここでは詳細な説明を省略する。
【００７２】
これに対応して、本発明の実施例はさらに、マルチメディアメッセージを受け取る受信手段と、前記受信手段が受信したマルチメディアメッセージが既に保存媒体中に保存されているか否かを判断する判断手段と、前記判断手段の判断結果が「否」である場合に、前記マルチメディアメッセージを前記保存媒体中に保存する保存手段と、前記保存手段がマルチメディアメッセージを保存したＵＲＬアドレスに対応する索引情報を生成する索引生成モジュールと、前記保存手段がマルチメディアメッセージを保存したＵＲＬアドレスを転送する転送手段とを含むマルチメディアメッセージサービスセンターを提供する。
【００７３】
前記保存媒体は、前記マルチメディアメッセージサービスセンターの内部または前記マルチメディアメッセージサービスセンターの外部にある。
【００７４】
本発明の実施例に係るマルチメディアメッセージ保存アドレス送信システム及び方法によれば、マルチメディアメッセージサービスゲートウェイ（あるいは第２マルチメディアメッセージサービスセンター）内部または外部に専らの保存媒体を設けることができ、マルチメディアメッセージを保存するのに用いることができる。これにより、マルチメディアメッセージを第１マルチメディアメッセージサービスセンターに転送かつ保存する必要がなく、第１マルチメディアメッセージサービスセンターの負荷を軽減し、第１マルチメディアメッセージサービスセンターの利用率を高上することができる。同時に同一内容のマルチメディアメッセージを１つのみ保存するため、保存量を軽減し、マルチメディアメッセージ送信の成功率を高上することができる。
【００７５】
当然、本業界の技術者は本発明の範囲を逸脱しない状況下で本発明を置換及び変化させることができる。もし本発明のこのような置換及び変化が本発明の特許請求の範囲及び同等の技術範囲内に属するなら、本発明はこのような置換及びと変化も含む。
【図１】
2011517796.tif 000003
【図２】
2011517796.tif 000004
【図３Ａ】
2011517796.tif 000005
【図３Ｂ】
2011517796.tif 000006
【図３Ｃ】
2011517796.tif 000007
【図４】
2011517796.tif 000008
【図５】
2011517796.tif 000009
【手続補正書】
【提出日】平成22年8月18日(2010.8.18)
【手続補正１】
【補正対象書類名】明細書
【補正対象項目名】全文
【補正方法】変更
【補正の内容】
【発明の詳細な説明】
【技術分野】
【０００１】
本発明は移動通信技術分野に関し、特にマルチメディアメッセージ保存アドレス送信システム及び方法に関する。
【背景技術】
【０００２】
移動通信技術の発展に伴い、移動通信ネットワークにおいては、既に各種新サービスが展開されている。その内、マルチメディアメッセージサービス（ＭＭＳ，Multimedia Message Service）は、保存転送メカニズムの非リアルタイム性に基づいた、マルチメディア通信方式を提供している。ＭＭＳを通じてユーザは、テキストデータ、画像データ、音楽データ、電子メール及び画像データ等を含む各種情報を送受信することができる。マルチメディアメッセージサービスセンター（ＭＭＳＣ，Multimedia Message Service Centre）は相違する方式のメッセージ保存転送を実現することができ、これには、移動端末と移動端末間、移動端末とインターネット間の情報インタラクションを含む。ユーザはデジタルカメラまたはBluetooth（登録商標）技術等を通じてマルチメディアメッセージを生成、編集することができ、かつ、ＭＭＳＣを通じて、他の移動端末ユーザへ送信することができる。
【０００３】
従来のＭＭＳネットワークシステムを実現する構造は図１に示すとおりである。該システムはＭＭＳ端末、マルチメディアメッセージサービスセンター（ＭＭＳＣ）、マルチメディアメッセージサービスゲートウェイ（ＭＭＳＧ）、ＭＭＳユーザデータベース、外部アプリケーションサーバ、ＭＭＳインクリメントアプリケーションシステム及び非ＭＭＳ端末サポートアプリケーションシステムなどのネットワーク要素を含む。なお、マルチメディアメッセージプラットフォームが提供するマルチメディアメッセージサービスをサポートするためにＷＡＰゲートウェイ、ＧＳＭ／ＧＰＲＳネットワーク資源等の設備のサポートを必要とし、さらに、現ネットワーク中の料金会計システムとの融合を必要とする。
【先行技術文献】
【特許文献】
【０００４】
【特許文献１】中華人民共和国特許公開第１６９７５３１号明細書
【０００５】
現在、商用ＭＭＳサービスの端末相互間（end to end）解決案のサービスプロセスにおいては、ＧＰＲＳシステム、ＷＡＰゲートウェイ、ＭＭＳＣショートメッセージサービスセンター（Short Message Service Center，以下ＳＭＳＣと称する）、ＩＰ基幹ネットワーク及び各種サービスプロバイダ（ＳＰ，Service Provider）プラットホーム等多種のネットワーク要素を含み、サービスプロセス全体が複雑であり、関わるプロトコルの種類が非常に多い。ＭＭＳの主なサービスセグメンテーションプロセスは、移動局の開始（Mobile Originated，以下、ＭＯと称する）、移動局の終止（Mobile Terminated，以下  ＭＴと称する）、アプリケーションの開始（Application Oriented，以下、ＡＯと称する）、アプリケーションの終止（Application Terminated，以下ＡＴという）、Emailシステムの開始（Email Originated，以下、ＥＯという）、Emailシステムの終止（Email Terminated，以下、ＥＴという）、転入、転出、ＰＵＳＨ通知メッセージ等のプロセスを含む。
【０００６】
マルチメディアメッセージサービス環境（Multimedia Message Service Environment，以下、ＭＭＳＥと称する。）において定義される関連インターフェースプロトコルは８種類（ＭＭ１−ＭＭ８）があり、その中で、ＭＭＳに直接関連するインターフェースプロトコルはＭＭ１、ＭＭ３、ＭＭ４、ＭＭ７である。ＭＭ１はＭＭＳユーザ代理及びＭＭＳＣ間のトランザクション処理フォーマットを定義している。ＭＭ３はマルチメディアメッセージサービスセンター及び外部アプリケーションサーバの情報インタラクション時におけるプロトコルを定義している。ＭＭ４インターフェースプロトコルは相違するマルチメディアメッセージシステムのマルチメディアメッセージサービスセンター間のメッセージ転送に用いられる。ＭＭ７は、マルチメディアメッセージサービスセンターとＭＭＳインクリメントサービスプロバイダ（ＭＭＳ  ＶＡＳ  applications）との間でマルチメディアメッセージ（ＭＭ，Multimedia Message）が転送される際のメッセージフォーマットを定義するのに用いられる。
【０００７】
ＳＰのマルチメディアメッセージ送信時に同様の内容を注文閲覧するユーザが非常に多い状況、及びユーザがマルチメディアメッセージをグループ送信する際に同様の内容を多数のユーザに送信する必要がある状況に適応すべく、マルチメディアメッセージ国際標準を基に、マルチメディアメッセージサービスゲートウェイ（ＭＭＳＧ）をさらに拡大提案かつ建設し、ＳＰのサービス及びユーザグループ送信のメッセージを配信するのに用い、ＳＰまたはユーザと、マルチメディアメッセージサービスゲートウェイと、の間のグループ送信、及びマルチメディアメッセージサービスゲートウェイとマルチメディアメッセージサービスセンターとの間のグループ送信を実現し、マルチメディアメッセージの送信效率を高めた。
【０００８】
従来のＳＰがマルチメディアメッセージを送信する際のフローチャートは図２に示すとおりである。具体的なステップは以下のとおりである。
【０００９】
ステップ２１０において、ＳＰがＭＭをマルチメディアメッセージサービスゲートウェイまたは類似のシステムへ提供する。
【００１０】
ステップ２２０において、マルチメディアメッセージサービスゲートウェイまたは類似のシステムがマルチメディアメッセージサービスセンターへ該ＭＭを転送する。
【００１１】
ステップ２３０において、マルチメディアメッセージサービスセンターは該ＭＭを保存し、ＰＵＳＨ通知メッセージを端末へ送信し、ＵＲＬアドレス、すなわちＭＭが該マルチメディアメッセージサービスセンターにおける保存アドレスを端末に通知する。
【００１２】
ステップ２４０において、端末は、マルチメディアメッセージサービスセンターが送信したＵＲＬアドレスに基づき、該マルチメディアメッセージサービスセンターから該ＭＭを抽出する。
【００１３】
ステップ２５０において、端末はＭＭの抽出に成功した後、確認メッセージをマルチメディアメッセージサービスセンターにリターンする。
【００１４】
ステップ２６０において、マルチメディアメッセージサービスセンターは通信料金を生成し、マルチメディアメッセージサービスゲートウェイまたは類似システムに配信レポートを送信し、かつ保存していたＭＭを削除する。
【００１５】
ステップ２７０において、マルチメディアメッセージサービスゲートウェイまたは類似システムは配信レポートを受信した後に、対応する通信料金を生成する。
【００１６】
ユーザがマルチメディアメッセージをグループ送信する際のフローチャートは、図２に示したＳＰがマルチメディアメッセージを送信する際のフローチャートと類似するため、ここでは、詳細な説明を省略する。
【発明の概要】
【発明が解決しようとする課題】
【００１７】
上記のように、たとえＳＰがマルチメディアメッセージを送信するプロセスであろうと、ユーザがマルチメディアメッセージをグループ送信するプロセスであろうと、マルチメディアメッセージはいずれもマルチメディアメッセージサービスゲートウェイまたは類似のシステムからマルチメディアメッセージサービスセンターへ転送かつ保存される必要があり、それから端末へ送信される。なお、マルチメディアメッセージは通常、サイズが比較的大きい（平均約３０Ｋ）ため、マルチメディアメッセージサービスセンター対し比較的大きな負荷を生じる。前記類似システムは例えば他のマルチメディアメッセージサービスセンターである。
【００１８】
本発明は、かかる点に鑑みてなされたものであり、マルチメディアメッセージサービスセンターの負荷を低減することができるマルチメディアメッセージ保存アドレス送信システムを提供することを目的とする。
【００１９】
これに対応して、本発明はマルチメディアメッセージ保存アドレス送信方法、マルチメディアメッセージサービスゲートウェイ、及びマルチメディアメッセージサービスセンターをさらに提供する。
【課題を解決するための手段】
【００２０】
本発明の実施例に係るマルチメディアメッセージ保存アドレス送信システは、マルチメディアメッセージを受信かつ保存し、前記マルチメディアメッセージを保存したＵＲＬアドレスを転送する受信保存転送装置と、前記受信保存転送装置から転送してきたＵＲＬアドレスを受信し、かつ、前記ＵＲＬアドレスを端末へ通知する第１マルチメディアメッセージサービスセンターとを含む構成をとる。
【００２１】
本発明の実施例に係るマルチメディアメッセージ保存アドレス送信方法は、受信保存転送装置がマルチメディアメッセージを受信かつ保存し、マルチメディアメッセージを保存したＵＲＬアドレスを第１マルチメディアメッセージサービスセンターに転送し、前記第１マルチメディアメッセージサービスセンターは、前記受信保存転送装置から転送してきたＵＲＬアドレスを端末に通知するようにした。
【００２２】
本発明の実施例に係るマルチメディアメッセージサービスゲートウェイは、マルチメディアメッセージを受信する受信手段と、前記受信手段が受信したマルチメディアメッセージを保存する保存手段と、前記保存手段がマルチメディアメッセージを保存したＵＲＬアドレスを転送する転送手段とを含む構成をとる
【００２３】
本発明の実施例に係るマルチメディアメッセージサービスセンターは、マルチメディアメッセージを受信する受信手段と、前記受信手段が受信したマルチメディアメッセージが既に保存媒体中に保存されているか否かを判断する判断手段と、前記判断手段の判断結果が「否」である場合、前記マルチメディアメッセージを前記保存媒体中に保存する保存手段と、前記保存手段がマルチメディアメッセージを保存したＵＲＬアドレスに対応する索引情報を生成する索引生成モジュールと、前記保存手段がマルチメディアメッセージを保存したＵＲＬアドレスを転送する転送手段とを含む構成をとる。
【発明の効果】
【００２４】
本発明の実施例に係る受信保存転送装置は、受信したマルチメディアメッセージを保存し、マルチメディアメッセージを保存したＵＲＬアドレスを第１マルチメディアメッセージサービスセンターへ転送し、第１マルチメディアメッセージサービスセンターはまた該ＵＲＬアドレスを端末に通知する。このように、第１マルチメディアメッセージサービスセンターはマルチメディアメッセージの内容を保存する必要がなく、受信保存転送装置がマルチメディアメッセージを保存したＵＲＬアドレスを端末へそのまま送信さえすればよく、これにより第１マルチメディアメッセージサービスセンターの負荷を大幅に軽減することができる。
【図面の簡単な説明】
【００２５】
【図１】従来技術に係るＭＭＳを実現するネットワークシステムを示す構成図である。
【図２】従来技術に係るＳＰがマルチメディアメッセージを送信するフローチャートである。
【図３Ａ】本発明の実施例に係るマルチメディアメッセージ保存アドレス送信システムを示す構成図である。
【図３Ｂ】本発明の実施例に係るマルチメディアメッセージサービスゲートウェイを示す構成図である。
【図３Ｃ】本発明の実施例に係るマルチメディアメッセージサービスゲートウェイにおける保存手段を示す構成図である。
【図４】本発明の実施例に係るマルチメディアメッセージ保存アドレス送信方法を示すフローチャートである。
【図５】本発明の実施例に係るマルチメディアメッセージ送信方法を示すフローチャートである。
【発明を実施するための形態】
【００２６】
従来技術に存在する問題に対し、本発明の実施例は、受信保存転送装置が、受信したマルチメディアメッセージを自身の保存媒体または外部の保存媒体に保存し、さらにマルチメディアメッセージを保存したＵＲＬアドレスを、第１マルチメディアメッセージサービスセンターを通じて端末に送信し、その後、端末は該ＵＲＬアドレスに基づき保存媒体中からマルチメディアメッセージを抽出する方法を提示する。
【００２７】
以下、明細書及び図面を参照し本発明実施例の具体的な実施の形態を詳細に説明する。本発明の下記の実施例において、受信保存転送装置はいずれもマルチメディアメッセージサービスゲートウェイを例として説明している。当然、下記の実施例におけるマルチメディアメッセージサービスゲートウェイが実現する機能は、マルチメディアメッセージサービスセンターによって実現することもできる。本発明の下記の実施例においては、マルチメディアメッセージサービスゲートウェイが受信したマルチメディアメッセージはいずれもＳＰにより提供されるものである場合を例にして説明を行うものの、当然、下記の実施例においてマルチメディアメッセージサービスゲートウェイが受信したマルチメディアメッセージはユーザにより提供されるものであっても良い。
【００２８】
本発明の実施例はマルチメディアメッセージ保存アドレス送信システムを提供し、その構造は図３Ａに示すとおりであり、マルチメディアメッセージサービスゲートウェイ３１０及びマルチメディアメッセージサービスセンター３２０を含む。
【００２９】
マルチメディアメッセージサービスゲートウェイ３１０は、サービスプロバイダＳＰが提供したマルチメディアメッセージを受信かつ保存し、マルチメディアメッセージを保存したＵＲＬアドレスを転送する。
【００３０】
マルチメディアメッセージサービスセンター３２０は、マルチメディアメッセージサービスゲートウェイ３１０が転送したＵＲＬアドレスを受信し、かつ該ＵＲＬアドレスを端末に通知する。
【００３１】
マルチメディアメッセージを受信する場合、端末はマルチメディアメッセージサービスセンター３２０が通知したＵＲＬアドレスを受信し、該ＵＲＬアドレスに基づきマルチメディアメッセージを抽出しにいくことができる。
【００３２】
その中、マルチメディアメッセージサービスゲートウェイ３１０の構造は図３Ｂに示すように、受信部３１１、保存部３１２及び転送部３１３を含む。
【００３３】
受信部３１１は、ＳＰが提供したマルチメディアメッセージを受信する。
【００３４】
保存部３１２は、受信部３１１が受信したマルチメディアメッセージを保存する。
【００３５】
転送部３１３は、保存部３１２がマルチメディアメッセージを保存したＵＲＬアドレスを転送する。
【００３６】
保存部３１２は、受信部３１１が受信したマルチメディアメッセージをマルチメディアメッセージサービスゲートウェイ３１０内部の保存媒体中に保存することもでき、マルチメディアメッセージサービスゲートウェイ３１０外部の保存媒体中に保存することもでき、マルチメディアメッセージをマルチメディアメッセージサービスセンター３２０に転送かつ保存しないため、マルチメディアメッセージサービスセンターの負荷を低減する。
【００３７】
なお、従来技術においては、多数のユーザが同一内容のマルチメディアメッセージを注文閲覧する状況に対し、マルチメディアメッセージサービスゲートウェイは多くの同一内容のマルチメディアメッセージをマルチメディアメッセージサービスセンターに転送する必要があり、マルチメディアメッセージサービスセンターもまたこれに対応して多くの同一内容のマルチメディアメッセージを保存する必要があるため、これはＭＭＳＣにより大きな負荷を与えることになる。本発明の方法によれば、ＭＭＳＧの保存空間はＭＭＳＣの保存空間よりも大きいため、ＭＭＳＧにより多くの同一内容のＭＭを自身の内部の保存媒体中に保存することが可能である。当然、ＭＭＳＧは多くの同一内容のＭＭを自身外部の保存媒体中に保存することも可能である。なお、ＭＭを受信保存転送するのに用いる装置はＭＭＳＧに限るものではなく、その他類似システムであっても良い。例えばもう１つののＭＭＳＣ（ＭＭＳＣ２と記す）であっても良い。ＭＭＳＣ２によりＭＭを受信かつ保存し、ＭＭを保存したＵＲＬアドレスをＭＭＳＣ１へ転送し、ＭＭＳＣ１はさらに、ＭＭＳＣ２から転送して来たＵＲＬアドレスを端末に通知する。ＭＭＳＣ２の保存空間は比較的に小さいため、好ましくは、ＭＭＳＣ２は多くの同一内容のＭＭを自身の外部の保存媒体中に保存する。さらにより好ましくは、保存媒体の空間を節約しつつ、ＭＭＳＣ２が受信した多くの同一内容中の１つのＭＭを自身の内部の保存媒体中に保存することを可能とすべく、本発明の実施例は下記のような保存部３１２の構造を提示する。
【００３８】
保存部３１２の構造は図３Ｃに示すように、判断モジュール３１２１、保存モジュール３１２２及び索引生成モジュール３１２３を含む。
【００３９】
判断モジュール３１２１は、受信部３１１が受信したマルチメディアメッセージが既に保存媒体中に保存されているか否かを判断する。
【００４０】
保存モジュール３１２２は、判断モジュール３１２１の判断結果が「否」である場合に、該マルチメディアメッセージを保存媒体中に保存する。
【００４１】
索引生成モジュール３１２３は、保存モジュール３１２２がマルチメディアメッセージを保存したＵＲＬアドレスに対応する索引情報を生成する。
【００４２】
このように、同一内容のマルチメディアメッセージに対し、保存部３１２は保存媒体中に該マルチメディアメッセージを１つ保存することができ、かつ閲覧注文ユーザ数に相当する、該マルチメディアメッセージを保存したＵＲＬアドレスに対応する索引情報を生成することができる。端末ユーザはＭＭＳＣが通知したＵＲＬアドレスを受信した後、該ＵＲＬアドレスに対応する索引情報により、保存媒体の中から該マルチメディアメッセージを抽出する。抽出に成功した後、該索引情報を削除してもよく、該索引情報に対しマーキングを行い、該端末ユーザが既に該マルチメディアメッセージを抽出したことを表記しても良い。全ての情報が削除またはマーキングされた場合、該マルチメディアメッセージを注文閲覧する全ての端末ユーザが、該マルチメディアメッセージを既に抽出したということを示し、全てのマーキングされた索引情報及び該マルチメディアメッセージを削除することができる。
【００４３】
これに対応して、本発明の実施例はさらにマルチメディアメッセージ保存アドレス送信方法を提供する。そのフローチャートは図４に示すとおりであり、具体的なステップは以下のとおりである。
【００４４】
ステップ４１０において、マルチメディアメッセージサービスゲートウェイはＳＰが提供したマルチメディアメッセージを受信する。
【００４５】
ステップ４２０において、ＭＭＳＧは受信したマルチメディアメッセージを保存する。
【００４６】
このステップにおいて、ＭＭＳＧは該マルチメディアメッセージを、内部または外部の保存媒体中に保存することができる。
【００４７】
ステップ４３０において、ＭＭＳＧは該マルチメディアメッセージを保存したＵＲＬアドレスをＭＭＳＣへ転送する。
【００４８】
ステップ４４０において、ＭＭＳＣはＭＭＳＧから転送してきたＵＲＬアドレスを端末に通知する。
【００４９】
ここで、ステップ４２０においてマルチメディアメッセージを保存する過程は以下のステップを含む。
【００５０】
ステップ４２１において、該マルチメディアメッセージが既に保存媒体中に保存されているか否かを判断する。
【００５１】
ステップ４２２において、既に保存されている場合には、該マルチメディアメッセージを保存したＵＲＬアドレスに対応する索引情報を生成し、未だ保存されていない場合には、該マルチメディアメッセージを保存媒体中に保存し、該マルチメディアメッセージを保存したＵＲＬアドレスに対応する索引情報を生成する。
【００５２】
上述したマルチメディアメッセージ保存アドレス送信システム及び方法に基づき、本発明の実施例はマルチメディアメッセージ送信方法を提供する。そのフローチャートは図５に示すとおりであり、具体的には以下のステップを含む。
【００５３】
ステップ５１０において、マルチメディアメッセージサービスゲートウェイはＳＰが提供したマルチメディアメッセージを受信する。
【００５４】
ステップ５２０において、ＭＭＳＧは受信したマルチメディアメッセージを保存する。
【００５５】
このステップにおいて、ＭＭＳＧは該マルチメディアメッセージを、内部または外部の保存媒体中に保存してもよく、同一内容のマルチメディアメッセージに対しては、該マルチメディアメッセージの内容を１つのみ保存し、同時に閲覧注文ユーザ数に相当する、該マルチメディアメッセージを保存したＵＲＬアドレスに対応する索引情報を生成してもよい。具体的な過程は、ステップ４２１及びステップ４２２と同様であり、ここでは詳細な説明を省略する。
【００５６】
ステップ５３０において、ＭＭＳＧは該マルチメディアメッセージを保存したＵＲＬアドレスをＭＭＳＣへ転送する。
【００５７】
ステップ５４０において、ＭＭＳＣは、ＭＭＳＧから転送してきたＵＲＬアドレスを端末へ通知する。
【００５８】
ステップ５５０において、端末はＭＭＳＣが通知したＵＲＬアドレスに基づき、マルチメディアメッセージを抽出する。
【００５９】
このステップにおいて、端末ユーザはＭＭＳＣが通知したＵＲＬアドレスを受信し、当該ＵＲＬアドレスに対応する索引情報に基づき、保存媒体中から該マルチメディアメッセージを抽出する。抽出に成功した後、該条索引情報を削除しても良く、該索引情報に対しマーキングを行い、該端末ユーザが既に該マルチメディアメッセージを抽出したことを表記しても良い。全ての索引情報が削除またはマーキングされた場合、該マルチメディアメッセージを注文閲覧するすべての端末ユーザが既に該マルチメディアメッセージを抽出したことを示す。
【００６０】
ステップ５６０において、端末がマルチメディアメッセージの抽出に成功した後、確認メッセージをＭＭＳＣへリターンする。
【００６１】
ステップ５７０において、ＭＭＳＣは端末が送信してきた確認メッセージを受信した後、通信料金を生成し、かつＭＭＳＧまたは類似システム、及び内部または外部の保存媒体へ配信レポートを送信する。
【００６２】
ステップ５８０において、マルチメディアメッセージゲートウェイまたは類似システムは配信レポートを受信した後、課金通信料金を生成し、保存媒体が配信レポートを受け取った後、全てのマーキングされた索引情報及び該マルチメディアメッセージを削除することができる。
【００６３】
これに対応して、本発明の実施例はさらにマルチメディアメッセージサービスゲートウェイを提供する。その構造は図３Ｂに示すとおりであり、受信部３１１、保存部３１２及び転送部３１３を含む。
【００６４】
受信部３１１は、ＳＰが提供したマルチメディアメッセージを受信する。
【００６５】
保存部３１２は、受信部３１１が受信したマルチメディアメッセージを保存する。
【００６６】
転送部３１３は、保存部３１２がマルチメディアメッセージを保存したＵＲＬアドレスを転送する。
【００６７】
その中、保存部３１２は受信部３１１が受信したマルチメディアメッセージを、マルチメディアメッセージサービスゲートウェイ内部または外部の保存媒体中に保存することができる。図３Ｃに示すとおり、保存部３１２は以下の３つのモジュールを含む。
【００６８】
判断モジュール３１２１は、前記受信部３１１が受信したマルチメディアメッセージが既に保存媒体中に保存されているか否かを判断する。
【００６９】
保存モジュール３１２２は、判断モジュール３１２１の判断結果が「否」である場合に、前記マルチメディアメッセージを保存媒体中に保存する。
【００７０】
索引生成モジュール３１２３は、前記保存モジュール３１２２がマルチメディアメッセージを保存したＵＲＬアドレスに対応する索引情報を生成する。
【００７１】
保存部３１２がマルチメディアメッセージを保存する方法は上述した方法と同様であり、ここでは詳細な説明を省略する。
【００７２】
これに対応して、本発明の実施例はさらに、マルチメディアメッセージを受け取る受信手段と、前記受信手段が受信したマルチメディアメッセージが既に保存媒体中に保存されているか否かを判断する判断手段と、前記判断手段の判断結果が「否」である場合に、前記マルチメディアメッセージを前記保存媒体中に保存する保存手段と、前記保存手段がマルチメディアメッセージを保存したＵＲＬアドレスに対応する索引情報を生成する索引生成モジュールと、前記保存手段がマルチメディアメッセージを保存したＵＲＬアドレスを転送する転送手段とを含むマルチメディアメッセージサービスセンターを提供する。
【００７３】
前記保存媒体は、前記マルチメディアメッセージサービスセンターの内部または前記マルチメディアメッセージサービスセンターの外部にある。
【００７４】
本発明の実施例に係るマルチメディアメッセージ保存アドレス送信システム及び方法によれば、マルチメディアメッセージサービスゲートウェイ（あるいは第２マルチメディアメッセージサービスセンター）内部または外部に専らの保存媒体を設けることができ、マルチメディアメッセージを保存するのに用いることができる。これにより、マルチメディアメッセージを第１マルチメディアメッセージサービスセンターに転送かつ保存する必要がなく、第１マルチメディアメッセージサービスセンターの負荷を軽減し、第１マルチメディアメッセージサービスセンターの利用率を高上することができる。同時に同一内容のマルチメディアメッセージを１つのみ保存するため、保存量を軽減し、マルチメディアメッセージ送信の成功率を高上することができる。
【００７５】
当然、本業界の技術者は本発明の範囲を逸脱しない状況下で本発明を置換及び変化させることができる。もし本発明のこのような置換及び変化が本発明の特許請求の範囲及び同等の技術範囲内に属するなら、本発明はこのような置換及びと変化も含む。
【手続補正２】
【補正対象書類名】特許請求の範囲
【補正対象項目名】全文
【補正方法】変更
【補正の内容】
【特許請求の範囲】
【請求項１】
マルチメディアメッセージを受信かつ保存し、前記マルチメディアメッセージを保存したＵＲＬアドレスを転送する受信保存転送装置と、
前記受信保存転送装置から転送してきたＵＲＬアドレスを受信し、かつ、前記ＵＲＬアドレスを端末へ通知する第１マルチメディアメッセージサービスセンターと
を含むマルチメディアメッセージ保存アドレス送信システム。
【請求項２】
前記受信保存転送装置は、複数の同一内容のマルチメディアメッセージを受信し、そのうちの１つのマルチメディアメッセージを保存する
請求項１に記載のマルチメディアメッセージ保存アドレス送信システム。
【請求項３】
前記受信保存転送装置は、
マルチメディアメッセージを受信する受信手段と、
受信手段が受信したマルチメディアメッセージを保存する保存手段と、
前記保存手段がマルチメディアメッセージを保存したＵＲＬアドレスを転送する転送手段と
を含む請求項１または２に記載のマルチメディアメッセージ保存アドレス送信システム。
【請求項４】
前記保存手段は、前記受信手段が受信したマルチメディアメッセージを前記受信保存転送装置内部または前記受信保存転送装置外部の保存媒体に保存する
請求項３に記載のマルチメディアメッセージ保存アドレス送信システム。
【請求項５】
前記保存手段は、
前記受信手段が受信したマルチメディアメッセージが前記保存媒体中に既に保存されているか否かを判断する判断モジュールと、
前記判断モジュールの判断結果が「否」である場合に、前記マルチメディアメッセージを前記保存媒体中に保存する保存モジュールと、
前記保存モジュールがマルチメディアメッセージを保存したＵＲＬアドレスに対応する索引情報を生成する索引生成モジュールと
を含む請求項４に記載のマルチメディアメッセージ保存アドレス送信システム。
【請求項６】
前記ＵＲＬアドレスに対応する索引情報数は前記受信保存転送装置が受信したマルチメディアメッセージである
請求項５に記載のマルチメディアメッセージ保存アドレス送信システム。
【請求項７】
前記受信保存転送装置は、
マルチメディアメッセージサービスゲートウェイまたは第２マルチメディアメッセージサービスセンターである
請求項１から請求項６のいずれか１つに記載のマルチメディアメッセージ保存アドレス送信システム。
【請求項８】
受信保存転送装置はマルチメディアメッセージを受信かつ保存し、
マルチメディアメッセージを保存したＵＲＬアドレスを第１マルチメディアメッセージサービスセンターに転送し、
前記第１マルチメディアメッセージサービスセンターは、前記受信保存転送装置から転送してきたＵＲＬアドレスを端末に通知する
マルチメディアメッセージ保存アドレス送信方法。
【請求項９】
前記受信保存転送装置は、複数の同一内容のマルチメディアメッセージを受信し、その
既に保存うちの１つのマルチメディアメッセージを保存する
請求項８に記載のマルチメディアメッセージ保存アドレス送信方法。
【請求項１０】
前記受信保存転送装置は、受信したマルチメディアメッセージを自身の保存媒体中、または、外部の保存媒体中に保存する
請求項８または９に記載のマルチメディアメッセージ保存アドレス送信方法。
【請求項１１】
前記受信保存転送装置が受信したマルチメディアメッセージを保存する場合、
受信したマルチメディアメッセージが既に前記保存媒体中に保存されているか否かを判断し、されている場合、前記マルチメディアメッセージを保存したＵＲＬアドレスに対応する索引情報を生成し、
未だ保存されていない場合、前記マルチメディアメッセージを前記保存媒体中に保存し、かつ、前記マルチメディアメッセージを保存したＵＲＬアドレスに対応する索引情報を生成する
請求項１０に記載のマルチメディアメッセージ保存アドレス送信方法。
【請求項１２】
前記ＵＲＬアドレスに対応する索引情報数は前記受信保存転送装置が受信したマルチメディアメッセージである
請求項１１に記載のマルチメディアメッセージ保存アドレス送信方法。
【請求項１３】
前記受信保存転送装置は、
マルチメディアメッセージサービスゲートウェイまたは第２マルチメディアメッセージサービスセンターである
請求項８から請求項１２のいずれか１つに記載のマルチメディアメッセージ保存アドレス送信方法。
【請求項１４】
マルチメディアメッセージを受信する受信手段と、
前記受信手段が受信したマルチメディアメッセージを保存する保存手段と、
前記保存手段がマルチメディアメッセージを保存したＵＲＬアドレスを転送する転送手段と
を含むマルチメディアメッセージサービスゲートウェイ。
【請求項１５】
前記受信手段は、複数の同一内容のマルチメディアメッセージを受信し、
前記保存手段は、前記受信手段が受信した前記複数の同一内容のマルチメディアメッセージのうちの１つを保存する
請求項１４に記載のマルチメディアメッセージサービスゲートウェイ。
【請求項１６】
前記保存手段は、前記受信手段が受信したマルチメディアメッセージを前記マルチメディアメッセージサービスゲートウェイの内部または前記マルチメディアメッセージサービスゲートウェイの外部の保存媒体に保存する
請求項１４または１５に記載のマルチメディアメッセージサービスゲートウェイ。
【請求項１７】
前記保存手段は、
前記受信手段が受信したマルチメディアメッセージが既に前記保存媒体中に保存されているか否かを判断する判断モジュールと、
前記判断モジュールの判断結果が「否」である場合、前記マルチメディアメッセージを前記保存媒体中に保存する保存モジュールと、
前記保存モジュールがマルチメディアメッセージを保存したＵＲＬアドレスに対応する索引情報を生成する前記索引生成モジュールと
を含む請求項１６に記載のマルチメディアメッセージサービスゲートウェイ。
【請求項１８】
前記ＵＲＬアドレスに対応する索引情報数は前記受信手段が受信したマルチメディアメッセージ数である
請求項１７に記載のマルチメディアメッセージサービスゲートウェイ。
【請求項１９】
マルチメディアメッセージを受信する受信手段と、
前記受信手段が受信したマルチメディアメッセージが既に保存媒体中に保存されているか否かを判断する判断手段と、
前記判断手段の判断結果が「否」である場合、前記マルチメディアメッセージを前記保存媒体中に保存する保存手段と、
前記保存手段がマルチメディアメッセージを保存したＵＲＬアドレスに対応する索引情報を生成する索引生成モジュールと、
前記保存手段がマルチメディアメッセージを保存したＵＲＬアドレスを転送する転送手段と
を含むマルチメディアメッセージサービスセンター。
【請求項２０】
前記受信手段は、複数の同一内容のマルチメディアメッセージを受信し、
判断手段は、前記受信手段が受信した１つのマルチメディアメッセージが既に保存媒体中に保存されているか否かを判断し、
前記保存手段は、前記判断手段の判断結果が「否」である場合、前記複数の同一内容のマルチメディアメッセージのうちの１つのマルチメディアメッセージを前記保存媒体中に保存し、
前記索引生成モジュールは、前記保存手段がマルチメディアメッセージを保存したＵＲＬアドレスに対応する索引情報を生成し、前記ＵＲＬアドレスに対応する索引情報数は前記受信保存転送装置が受信したマルチメディアメッセージである
請求項１９に記載のマルチメディアメッセージサービスセンター。
【請求項２１】
前記保存媒体は、
前記マルチメディアメッセージサービスセンターの内部、または、前記マルチメディアメッセージサービスセンターの外部にある
請求項１９または２０に記載のマルチメディアメッセージサービスセンター。
【国際調査報告】
2011517796.tif 000010
2011517796.tif 000011
2011517796.tif 000012
2011517796.tif 000013